(57)【要約】【課題】各ファンの回転に伴って発せられる騒音を抑制しつつ熱源体を冷却することが可能な医療用装置を提供する。【解決手段】本発明の医療用装置は、筐体内部の熱源体から発せられる熱を外部へ排出する第１のファン及び第２のファンと、第１のファン及び第２のファンの回転に伴って発せられる音を音声信号として出力する集音部と、第１のファンの回転数及び位相と、第２のファンにおける回転数及び位相とを各々検出する回転状態検出部と、集音部から出力される音声信号と、第１のファンの回転数及び位相と、第２のファンの回転数及び位相とに基づき、第１のファン及び第２のファンにおいて、回転数を同一とし、かつ、回転位相差を１８０度とする制御を行う回転状態制御部と、第１のファン及び第２のファンの回転数及び回転位相差を回転状態制御部の制御に応じたものとして同期させる位相同期部と、を具備する。【選択図】図２
2009189429.tif 000002
【特許請求の範囲】
【請求項１】
内視鏡とともに用いられる医療用装置であって、
前記医療用装置は、
筐体内部に存在する１または複数の熱源体から発せられる熱を外部へ排出する第１のファン及び第２のファンと、
前記第１のファン及び前記第２のファンの回転に伴って発せられる音を集音し、音声信号として出力する集音部と、
前記第１のファンの回転数及び位相と、前記第２のファンの回転数及び位相とを各々検出する回転状態検出部と、
前記集音部から出力される前記音声信号と、前記第１のファンの回転数及び位相と、前記第２のファンの回転数及び位相とに基づき、該音声信号の振幅を最小にするための制御として、前記第１のファン及び前記第２のファンの回転数を同一とし、かつ、前記第１のファン及び前記第２のファンにおける回転位相差を１８０度とする制御を行う回転状態制御部と、
前記第１のファン及び前記第２のファンの回転数及び回転位相差を前記回転状態制御部の制御に応じたものとして同期させる位相同期部と、
を具備することを特徴とする医療用装置。
【請求項２】
前記集音部は、前記第１のファンの近傍に配置されるとともに、前記第１のファンの回転に伴って発せられる音を第１の音声信号として出力する第１のマイクロホンと、前記第２のファンの近傍に配置されるとともに、前記第２のファンの回転に伴って発せられる音を第２の音声信号として出力する第２のマイクロホンと、を有し、
前記回転状態制御部は、前記第１の音声信号と前記第２の音声信号との間の位相のずれを検出するとともに、該位相のずれと、前記第１のファンの回転数及び位相と、前記第２のファンの回転数及び位相とに基づき、前記第１のファン及び前記第２のファンの回転数を同一とし、かつ、前記第１のファン及び前記第２のファンにおける回転位相差を１８０度とする制御を行うことを特徴とする請求項１に記載の医療用装置。
【請求項３】
前記集音部は、前記第１のファンと前記第２のファンとの略中間の位置に配置されているとともに、前記第１のファン及び前記第２のファンの回転に伴って発せられる音を音声信号として出力するマイクロホンを有して構成されていることを特徴とする請求項１に記載の医療用装置。
【請求項４】
前記集音部から出力される音声信号の位相を反転しつつ出力する位相反転部と、
前記記位相反転部から出力される音声信号の振幅を調整しつつ出力する音量調整部と、
前記音量調整部から出力される音声信号に応じた音を発する発音部と、
をさらに有することを特徴とする請求項１または請求項３に記載の医療用装置。
【請求項５】
前記筐体内において駆動音を伴いつつ駆動する装置の駆動状態を監視するとともに、該装置が駆動している最中において、該装置が駆動する直前の前記第１のファン及び前記第２のファンの回転状態を維持させる動作監視部をさらに有することを特徴とする請求項１に記載の医療用装置。
【発明の詳細な説明】
【技術分野】
【０００１】
本発明は、医療用装置に関し、特に、内視鏡とともに用いられる医療用装置に関するものである。
【背景技術】
【０００２】
内視鏡は、工業分野及び医療分野等において従来広く用いられている。特に、医療分野における内視鏡は、生体内の各種器官に対する観察等を行う際に主に用いられている。
【０００３】
また、内視鏡による観察等を行う際には、検査対象となる部位を照明するために、該内視鏡に設けられたライトガイド等に対して照明光を供給する光源装置が併せて用いられる。
【０００４】
一般的に、光源装置は、ランプ及び電源ユニット等の熱源体を筐体内に有して構成されている。また、光源装置の安定駆動を考慮した場合、筐体内に存在する熱源体を各々冷却可能な構成が必須となっている。そして、光源装置の筐体内に存在する熱源体を各々冷却可能な装置としては、例えば特許文献１に記載されているような、ファンを具備する冷却装置が挙げられる。
【特許文献１】特開２００１−０６８８８１号公報
【発明の開示】
【発明が解決しようとする課題】
【０００５】
しかし、医療分野の内視鏡に照明光を供給する光源装置に対して特許文献１に記載の構成を適用した場合、各ファンの回転により生じる騒音により、例えば、内視鏡を操作する医師と、該内視鏡の被験者である患者との間の会話に支障をきたしてしまう、という問題点が生じる。そして、特許文献１においては、各ファンの回転により生じる騒音を抑制するための方法に関する言及がなされておらず、前述した問題点に準ずる課題が生じている。
【０００６】
本発明は、前述した事情に鑑みてなされたものであり、各ファンの回転に伴って発せられる騒音を抑制しつつ熱源体を冷却することが可能な医療用装置を提供することを目的としている。
【課題を解決するための手段】
【０００７】
本発明における医療用装置は、内視鏡とともに用いられる医療用装置であって、  前記医療用装置は、筐体内部に存在する１または複数の熱源体から発せられる熱を外部へ排出する第１のファン及び第２のファンと、前記第１のファン及び前記第２のファンの回転に伴って発せられる音を集音し、音声信号として出力する集音部と、前記第１のファンの回転数及び位相と、前記第２のファンの回転数及び位相とを各々検出する回転状態検出部と、前記集音部から出力される前記音声信号と、前記第１のファンの回転数及び位相と、前記第２のファンの回転数及び位相とに基づき、該音声信号の振幅を最小にするための制御として、前記第１のファン及び前記第２のファンの回転数を同一とし、かつ、前記第１のファン及び前記第２のファンにおける回転位相差を１８０度とする制御を行う回転状態制御部と、前記第１のファン及び前記第２のファンの回転数及び回転位相差を前記回転状態制御部の制御に応じたものとして同期させる位相同期部と、を具備することを特徴とする。
【発明の効果】
【０００８】
本発明における医療用装置によると、各ファンの回転に伴って発せられる騒音を抑制しつつ熱源体を冷却することが可能である。
【発明を実施するための最良の形態】
【０００９】
以下、図面を参照して本発明の実施の形態を説明する。
【００１０】
図１から図８は、本発明の実施形態に係るものである。図１は、本発明の実施形態に係る医療用装置が用いられる内視鏡システムの要部の構成の一例を示す図である。図２は、本実施形態に係る医療用装置としての光源装置の構成の一例を示す図である。図３は、図２の光源装置におけるファン制御部の詳細な構成の一例を示す図である。図４は、本実施形態に係る光源装置の構成の、図２とは異なる例を示す図である。図５は、図４の光源装置におけるファン制御部の詳細な構成の一例を示す図である。図６は、本実施形態に係る光源装置の構成の、図２及び図４とは異なる例を示す図である。図７は、図６の光源装置におけるファン制御部の詳細な構成の一例を示す図である。図８は、本実施形態に係る光源装置の構成の、図２、図４及び図６とは異なる例を示す図である。
【００１１】
内視鏡システム１は、図１に示すように、体腔内に存在する被写体の像を撮像し、撮像信号として出力する内視鏡２と、内視鏡２の撮像対象となる被写体を照明するための照明光を内視鏡２へ供給する光源装置３と、ＣＰＵ等により構成されるビデオプロセッサ４と、モニタ５と、ユーザの操作に応じた各種指示を指示信号としてビデオプロセッサ４へ出力可能な、例えばキーボード等により構成される入力装置６と、を要部として有している。
【００１２】
内視鏡２は、光源装置３から供給される照明光を撮像対象となる被写体へ導くための、図示しないライトガイドを内蔵している。
【００１３】
ビデオプロセッサ４は、内視鏡２から出力される撮像信号に対して所定の処理を施し、映像信号として出力するとともに、入力装置６から出力される指示信号に基づく制御等を内視鏡システム１の各部に対して行う。
【００１４】
モニタ５は、ビデオプロセッサ４から出力される映像信号に基づき、内視鏡２により撮像された被写体の像を画像表示する。
【００１５】
本実施形態に係る医療用装置としての光源装置３は、図２に示すように、例えばキセノンランプ等により構成されるランプ３１と、ランプ３１の光路上に配置されるとともに、ランプ３１において発せられた光のうち、（自身の）絞り量に応じた光量の光を通過させる絞り装置３２と、ビデオプロセッサ４の制御に応じて絞り装置３２の絞り量を調整する調光部３３と、光源装置３の前面側に配置されるとともに、絞り装置３２を通過した光を集光しつつ外部へ出射する集光レンズ３４と、を筐体内部に有している。
【００１６】
絞り装置３２は、調光部３３の制御に応じて図示しないモータを駆動させることにより、自身の絞り量を変化させることが可能な構成を有している。
【００１７】
そして、前述した光源装置３の構成により、ランプ３１において発せられた光は、絞り装置３２及び調光部３３により光量が調整され、集光レンズ３４により集光された後、内視鏡２に内蔵された図示しないライトガイド等を介し、該内視鏡２の先端部から撮像対象となる被写体に対して出射される。
【００１８】
また、光源装置３は、図２に示すように、電源部３５と、ファン３６ａ及び３６ｂと、集音部３７ａ及び３７ｂと、ファン制御部３８と、を筐体内部にさらに有している。
【００１９】
電源部３５は、商用電源等から入力されるＡＣ電源をＤＣ電源に変換し、該ＤＣ電源を光源装置３の各部に対して供給する。
【００２０】
ファン３６ａは、光源装置３の背面側に配置されるとともに、主にランプ３１の駆動時に発せられる熱を外部へ排出可能な構成を有している。また、ファン３６ａは、ファン制御部３８の制御に応じて自身の回転数を変化させることが可能な構成を有している。さらに、ファン３６ａは、駆動時において、自身の回転状態（回転数及び位相）をファン制御部３８へ出力する。なお、ファン３６ａの排熱効率の向上の目的において、任意の空力的検討がなされた形状のイグナイタカバーが光源装置３のランプ３１に取り付けられるものであっても良い。
【００２１】
ファン３６ｂは、光源装置３の背面側に配置されるとともに、主に電源部３５の駆動時に発せられる熱を外部へ排出可能な構成を有している。また、ファン３６ｂは、ファン制御部３８の制御に応じて自身の回転数を変化させることが可能な構成を有している。さらに、ファン３６ｂは、駆動時において、自身の回転状態（回転数及び位相）をファン制御部３８へ出力する。
【００２２】
マイクロホン等により構成される集音部３７ａは、光源装置３の背面側、かつ、ファン３６ａの近傍に配置されている。そして、集音部３７ａは、主にファン３６ａの回転に伴って発せられる音を集音し、第１の音声信号としてファン制御部３８へ出力する。
【００２３】
マイクロホン等により構成される集音部３７ｂは、光源装置３の背面側、かつ、ファン３６ｂの近傍に配置されている。そして、集音部３７ｂは、主にファン３６ｂの回転に伴って発せられる音を集音し、第２の音声信号としてファン制御部３８へ出力する。
【００２４】
ファン制御部３８は、図３に示すように、増幅部３８１ａ及び３８１ｂと、ローパスフィルタ３８２ａ及び３８２ｂと、Ａ／Ｄ変換部３８３ａ及び３８３ｂと、比較部３８４と、位相差調整部３８５と、同期調整部３８６と、位相同期部３８７ａ及び３８７ｂと、を有して構成されている。
【００２５】
アンプ等により構成される増幅部３８１ａは、集音部３７ａから出力される第１の音声信号を増幅し、ローパスフィルタ３８２ａに対して出力する。
【００２６】
アンプ等により構成される増幅部３８１ｂは、集音部３７ｂから出力される第２の音声信号を増幅し、ローパスフィルタ３８２ｂに対して出力する。
【００２７】
ローパスフィルタ３８２ａは、低周波数帯のみを通過させるフィルタリング処理を第１の音声信号に対して施すことにより、集音部３７ａに入力された音声成分のうち、例えば人間の話し声等の高周波成分を除去するとともに、ファン３６ａの回転に伴って発せられる音の基本周波数に相当する周波数成分を抽出する処理を行う。そして、ローパスフィルタ３８２ａは、前述した処理が施された状態の第１の音声信号を、Ａ／Ｄ変換部３８３ａに対して出力する。
【００２８】
ローパスフィルタ３８２ｂは、低周波数帯のみを通過させるフィルタリング処理を第２の音声信号に対して施すことにより、集音部３７ｂに入力された音声成分のうち、例えば人間の話し声等の高周波成分を除去するとともに、ファン３６ｂの回転に伴って発せられる音の基本周波数に相当する周波数成分を抽出する処理を行う。そして、ローパスフィルタ３８２ｂは、前述した処理が施された状態の第２の音声信号を、Ａ／Ｄ変換部３８３ｂに対して出力する。
【００２９】
Ａ／Ｄ変換部３８３ａは、ローパスフィルタ３８２ａから出力される第１の音声信号をデジタル信号に変換しつつ比較部３８４へ出力する。
【００３０】
Ａ／Ｄ変換部３８３ｂは、ローパスフィルタ３８２ｂから出力される第２の音声信号をデジタル信号に変換しつつ比較部３８４へ出力する。
【００３１】
比較部３８４は、Ａ／Ｄ変換部３８３ａから出力される第１の音声信号、または、／Ｄ変換部３８３ｂから出力される第２の音声信号のうちのいずれか一方の位相を反転させつつ、第１の音声信号と第２の音声信号との間の位相のずれを検出する。そして、比較部３８４は、検出した位相のずれを音声位相差信号として位相差調整部３８５へ出力する。
【００３２】
回転状態検出部としての機能を有する位相差調整部３８５は、ファン３６ａの回転状態（回転数及び位相）を検出するとともに、該回転状態及び比較部３８４から出力される音声位相差信号に基づき、ファン３６ａとファン３６ｂとの回転位相差が１８０度になり、かつ、ファン３６ａとファン３６ｂとの回転数が同一の回転数になるように設定を行う。そして、位相差調整部３８５は、設定した回転位相差及び回転数を位相差調整信号として同期調整部３８６へ出力する。
【００３３】
回転状態検出部としての機能を有する同期調整部３８６は、ファン３６ｂの回転状態（回転数及び位相）を検出するとともに、該回転状態及び位相差調整部３８５から出力される位相差調整信号に基づき、第１の音声信号及び第２の音声信号の振幅を最小にするための制御として、ファン３６ａとファン３６ｂとを同一の回転数により回転させるための制御を位相同期部３８７ａ及び３８７ｂに対して行う。また、同期調整部３８６は、ファン３６ｂの回転状態（回転数及び位相）を検出するとともに、第１の音声信号及び第２の音声信号の振幅を最小にするための制御として、該回転状態及び位相差調整部３８５から出力される位相差調整信号に基づき、ファン３６ｂに対するファン３６ａの回転位相差を１８０度とするための制御を位相同期部３８７ａに対して行う。
【００３４】
すなわち、光源装置３における回転状態制御部は、比較部３８４と、位相差調整部３８５と、同期調整部３８６とを有して構成されている。
【００３５】
位相同期部３８７ａは、ファン３６ａの回転状態を監視しつつ、ファン３６ａの回転数、及び、ファン３６ｂに対するファン３６ａの回転位相差を同期調整部３８６の制御に応じたものとして同期させるための動作を行う。
【００３６】
位相同期部３８７ｂは、ファン３６ｂの回転状態を監視しつつ、ファン３６ｂの回転数を同期調整部３８６の制御に応じたものとして同期させるための動作を行う。
【００３７】
次に、光源装置３の作用についての説明を行う。
【００３８】
図示しないスイッチ等がオンされると、電源部３５から光源装置３の各部へ電源が供給され、該各部が駆動する。
【００３９】
そして、集音部３７ａは、ファン３６ａの回転に伴って発生する音を集音し、第１の音声信号として増幅部３８１ａへ出力する。また、集音部３７ｂは、ファン３６ｂの回転に伴って発生する音を集音し、第２の音声信号として増幅部３８１ｂへ出力する。
【００４０】
集音部３７ａから出力された第１の音声信号は、増幅部３８１ａにより増幅され、ローパスフィルタ３８２ａによりフィルタリング処理が施され、Ａ／Ｄ変換部３８３ａによりデジタル化された後、比較部３８４に入力される。また、集音部３７ｂから出力された第２の音声信号は、増幅部３８１ｂにより増幅され、ローパスフィルタ３８２ｂによりフィルタリング処理が施され、Ａ／Ｄ変換部３８３ｂによりデジタル化された後、比較部３８４に入力される。
【００４１】
ところで、ファン３６ａ及び３６ｂの回転に伴って発せられる音の基本周波数は、各ファンの回転数と、各ファンが有する羽根の枚数との積に略等しい値をとるものとして定められる。具体的には、例えば、ファン３６ａ及び３６ｂが双方とも６０回転／秒の回転数として回転しており、かつ、ファン３６ａ及び３６ｂが双方とも４枚の羽根を有するものとして構成されている場合、ファン３６ａ及び３６ｂの回転に伴って発せられる音の基本周波数は、いずれも２４０Ｈｚとなる。すなわち、ローパスフィルタ３８２ａ（３８２ｂ）は、第１の音声信号（第２の音声信号）に対してフィルタリング処理を施すことにより、前述した内容に準ずる基本周波数（所定の周波数）の周波数成分を抽出する。
【００４２】
Ａ／Ｄ変換部３８３ａから出力された第１の音声信号、及び、Ａ／Ｄ変換部３８３ｂから出力された第２の音声信号は、比較部３８４及び位相差調整部３８５を介することにより、位相差調整信号として変換された状態として同期調整部３８６に入力される。
【００４３】
同期調整部３８６は、ファン３６ｂの回転状態（回転数及び位相）を検出するとともに、該回転状態及び位相差調整部３８５から出力される位相差調整信号に基づき、第１の音声信号及び第２の音声信号の振幅を最小にするための制御として、ファン３６ａとファン３６ｂとを同一の回転数により回転させるための制御を位相同期部３８７ａ及び３８７ｂに対して行う。また、同期調整部３８６は、ファン３６ｂの回転状態（回転数及び位相）を検出するとともに、該回転状態及び位相差調整部３８５から出力される位相差調整信号に基づき、第１の音声信号及び第２の音声信号の振幅を最小にするための制御として、ファン３６ｂに対するファン３６ａの回転位相差を１８０度とするための制御を位相同期部３８７ａに対して行う。
【００４４】
そして、前述した制御が同期調整部３８６において行われることにより、ファン３６ａの回転に伴って発せられる音と、ファン３６ｂの回転に伴って発せられる音とが互いに打ち消し合い、ファン３６ａ及び３６ｂの回転に伴う騒音が抑制される。
【００４５】
すなわち、光源装置３は、前述した構成及び作用により、ファン３６ａ及び３６ｂの回転に伴って発せられる騒音を抑制しつつ、熱源体としてのランプ３１及び電源部３５を冷却することができる、という効果を有する。
【００４６】
なお、光源装置３は、２つの集音部３７ａ及び３７ｂを有して構成されるものに限らず、例えば図４に示すように、１つの集音部３７ｃを有する光源装置３Ａとして構成されるものであっても良い。
【００４７】
光源装置３Ａは、図４に示すように、光源装置３における集音部３７ａ及び３７ｂの代わりに集音部３７ｃを具備し、かつ、光源装置３におけるファン制御部３８の代わりにファン制御部３８Ａを具備した構成と略同様の構成を有している。
【００４８】
マイクロホン等により構成される集音部３７ｃは、光源装置３の背面側、かつ、ファン３６ａとファン３６ｂとの略中間の位置に配置されている。そして、集音部３７ｃは、ファン３６ａ及び３６ｂの回転に伴って発せられる音を集音し、音声信号としてファン制御部３８Ａへ出力する。
【００４９】
ファン制御部３８Ａは、図５に示すように、増幅部３８１と、ローパスフィルタ３８２と、Ａ／Ｄ変換部３８３と、位相差調整部３８５と、同期調整部３８６と、位相同期部３８７と、を有して構成されている。
【００５０】
アンプ等により構成される増幅部３８１は、集音部３７ｃから出力される音声信号を増幅し、ローパスフィルタ３８２に対して出力する。
【００５１】
ローパスフィルタ３８２は、低周波数帯のみを通過させるフィルタリング処理を音声信号に対して施すことにより、集音部３７ｃに入力された音声成分のうち、例えば人間の話し声等の高周波成分を除去するとともに、ファン３６ａ及びファン３６ｂの回転に伴って発せられる音の基本周波数に相当する周波数成分を各々抽出する処理を行う。そして、ローパスフィルタ３８２は、前述した処理が施された状態の音声信号を、Ａ／Ｄ変換部３８３に対して出力する。
【００５２】
Ａ／Ｄ変換部３８３は、ローパスフィルタ３８２から出力される音声信号をデジタル信号に変換しつつ位相差調整部３８５へ出力する。
【００５３】
位相差調整部３８５は、ファン３６ｂの回転状態（回転数及び位相）を検出するとともに、該回転状態とＡ／Ｄ変換部３８３から出力される音声信号とに基づき、該音声信号の振幅が最小となるようにファン３６ａとファン３６ｂとの回転位相差を（例えば１８０度に）設定するとともに、ファン３６ａとファン３６ｂとの回転数が同一の回転数になるように設定を行う。そして、位相差調整部３８５は、設定した回転位相差及び回転数を位相差調整信号として同期調整部３８６へ出力する。
【００５４】
同期調整部３８６は、位相差調整部３８５から出力される位相差調整信号に基づき、音声信号の振幅を最小にするための制御として、ファン３６ａの回転数をファン３６ｂの回転数に合わせて回転させるための制御を位相同期部３８７に対して行う。また、同期調整部３８６は、回転状態及び位相差調整部３８５から出力される位相差調整信号に基づき、ファン３６ｂに対するファン３６ａの回転位相差を１８０度とするための制御を位相同期部３８７に対して行う。
【００５５】
すなわち、光源装置３Ａにおける回転状態制御部は、位相差調整部３８５と、同期調整部３８６とを有して構成されている。
【００５６】
位相同期部３８７は、ファン３６ａの回転状態を監視しつつ、ファン３６ａの回転数、及び、ファン３６ｂに対するファン３６ａの回転位相差を同期調整部３８６の制御に応じたものとして同期させるための動作を行う。
【００５７】
次に、光源装置３Ａの作用についての説明を行う。
【００５８】
図示しないスイッチ等がオンされると、電源部３５から光源装置３Ａの各部へ電源が供給され、該各部が駆動する。
【００５９】
そして、集音部３７ｃは、ファン３６ａ及び３６ｂの回転に伴って発生する音を集音し、音声信号として増幅部３８１へ出力する。
【００６０】
集音部３７ｃから出力された音声信号は、増幅部３８１により増幅され、ローパスフィルタ３８２によりフィルタリング処理が施され、Ａ／Ｄ変換部３８３によりデジタル化された後、位相差調整部３８５に入力される。
【００６１】
位相差調整部３８５は、ファン３６ｂの回転状態（回転数及び位相）を検出するとともに、該回転状態とＡ／Ｄ変換部３８３から出力される音声信号とに基づき、該音声信号の振幅が最小となるようにファン３６ａとファン３６ｂとの回転位相差を（例えば１８０度に）設定するとともに、ファン３６ａとファン３６ｂとの回転数が同一の回転数になるように設定を行う。そして、位相差調整部３８５は、設定した回転位相差及び回転数を位相差調整信号として同期調整部３８６へ出力する。
【００６２】
同期調整部３８６は、位相差調整部３８５から出力される位相差調整信号に基づき、ファン３６ａの回転数をファン３６ｂの回転数に合わせて回転させるための制御を位相同期部３８７に対して行う。また、同期調整部３８６は、回転状態及び位相差調整部３８５から出力される位相差調整信号に基づき、ファン３６ｂに対するファン３６ａの回転位相差を１８０度とするための制御を位相同期部３８７に対して行う。
【００６３】
位相同期部３８７は、ファン３６ａの回転状態を監視しつつ、ファン３６ａの回転数、及び、ファン３６ｂに対するファン３６ａの回転位相差を同期調整部３８６の制御に応じたものとして同期させるための動作を行う。
【００６４】
すなわち、ファン制御部３８Ａが有する位相差調整部３８５、同期調整部３８６及び位相同期部３８７においては、他からの制御を受けることなく回転し続けるファン３６ｂの回転状態を参照しつつ、ファン３６ａ及び３６ｂの回転に伴って発せられる音（の振幅）が最小となるように、ファン３６ａの回転状態を制御するための動作が行われている。そして、このような動作により、ファン３６ａ及び３６ｂの回転に伴う騒音が抑制される。
【００６５】
すなわち、光源装置３Ａは、光源装置３と略同等の効果を、（光源装置３に比べて）簡易な構成により実現することができる。
【００６６】
なお、光源装置３は、図２に示す構成のものに限らず、例えば図６に示すように、１つの集音部３７ｃと、スピーカー３９とを有する光源装置３Ｂとして構成されるものであっても良い。
【００６７】
光源装置３Ｂは、図６に示すように、光源装置３における集音部３７ａ及び３７ｂの代わりに集音部３７ｃを具備し、光源装置３におけるファン制御部３８の代わりにファン制御部３８Ｂを具備し、かつ、光源装置３にスピーカー３９をさらに加えて構成されたものである。
【００６８】
光源装置３Ｂにおける集音部３７ｃの構成及び作用は、光源装置３Ａにおけるものと略同様であるため、再度の詳細な説明は省略する。
【００６９】
発音部としての機能を有するスピーカー３９は、ファン制御部３８Ｂから出力される音声信号に応じた音を適宜発する。また、スピーカー３９は、自らが発する音とファン３６ａ及び３６ｂの回転に伴って発せられる音とが干渉しないように、ファン３６ａ及び３６ｂが設けられた位置から離れた位置である、例えば光源装置３の前面側に配置されている。
【００７０】
ファン制御部３８Ｂは、図７に示すように、増幅部３８１と、ローパスフィルタ３８２と、Ａ／Ｄ変換部３８３と、位相差調整部３８５と、同期調整部３８６と、位相同期部３８７と、位相反転部３８８と、音量調整部３８９と、を有して構成されている。
【００７１】
すなわち、光源装置３Ｂにおける回転状態制御部は、位相差調整部３８５と、同期調整部３８６とを有して構成されている。
【００７２】
位相反転部３８８は、増幅部３８１により増幅された音声信号の位相を反転しつつ音量調整部３８９へ出力する。
【００７３】
音量調整部３８９は、位相反転部３８８から出力される音声信号の音量（振幅）を調整しつスピーカー３９へ出力する。
【００７４】
なお、ファン制御部３８Ｂが有する増幅部３８１、ローパスフィルタ３８２、Ａ／Ｄ変換部３８３、位相差調整部３８５、同期調整部３８６、及び位相同期部３８７の各部の構成及び作用は、光源装置３Ａにおける該各部の構成及び作用と略同一である。そのため、前記各部についての再度の詳細な説明は、省略するものとする。
【００７５】
光源装置３Ｂは、前述した構成を有することにより、集音部３７ｃにおいて集音される音の位相を反転させた他の音をスピーカー３９から発することができる。
【００７６】
すなわち、前述した構成を有する光源装置３Ｂは、光源装置３における効果に加え、例えば、ファン３６ａ及び３６ｂの回転に伴って発生する音の音量が比較的大きく、位相差調整部３８５及び同期調整部３８６の動作（制御）によっても打ち消すことができない成分が残った場合であっても、該成分の位相を反転した他の音をスピーカー３９から発生させることにより該成分を除去することができる、という効果を有する。
【００７７】
ところで、光源装置内には、例えば、絞りまたは回転フィルタ等を駆動させるためのモータというような、駆動音を伴いつつ駆動する装置が設けられている場合がある。それ故、本実施形態の光源装置３は、装置内部において発生する駆動音を考慮しつつファン３６ａ及び３６ｂの制御を行うことが可能な、例えば図８に示すような光源装置３Ｃとして構成されるものであっても良い。
【００７８】
光源装置３Ｃは、図８に示すように、光源装置３に動作監視部４０をさらに加えて構成されたものである。
【００７９】
動作監視部４０は、絞り装置３２の動作状態を監視しつつ、絞り装置３２が駆動している最中において、絞り装置３２が駆動する直前のファン３６ａ及び３６ｂの回転状態を維持させるための制御をファン制御部３８に対して行う。
【００８０】
なお、光源装置３Ｃが有するランプ３１、絞り装置３２、調光部３３、集光レンズ３４、電源部３５、ファン３６ａ及び３６ｂ、集音部３７ａ及び３７ｂ、及びファン制御部３８の各部の構成及び作用は、光源装置３における該各部の構成及び作用と略同一である。そのため、前記各部についての再度の詳細な説明は、省略するものとする。
【００８１】
そして、前述した構成を有する光源装置３Ｃは、光源装置３における効果に加え、例えば、絞り装置３２の駆動に伴って駆動音が発生した場合であっても、該駆動音による影響を最小限にしつつファン３６ａ及び３６ｂの制御を行うことができる、という効果をさらに有する。
【００８２】
なお、本発明は、上述した各実施形態に限定されるものではなく、発明の趣旨を逸脱しない範囲内において種々の変更や応用が可能であることは勿論である。
【図面の簡単な説明】
【００８３】
【図１】本発明の実施形態に係る医療用装置が用いられる内視鏡システムの要部の構成の一例を示す図。
【図２】本実施形態に係る医療用装置としての光源装置の構成の一例を示す図。
【図３】図２の光源装置におけるファン制御部の詳細な構成の一例を示す図。
【図４】本実施形態に係る光源装置の構成の、図２とは異なる例を示す図。
【図５】図４の光源装置におけるファン制御部の詳細な構成の一例を示す図。
【図６】本実施形態に係る光源装置の構成の、図２及び図４とは異なる例を示す図。
【図７】図６の光源装置におけるファン制御部の詳細な構成の一例を示す図。
【図８】本実施形態に係る光源装置の構成の、図２、図４及び図６とは異なる例を示す図。
【符号の説明】
【００８４】
１・・・内視鏡システム
２・・・内視鏡
３，３Ａ，３Ｂ，３Ｃ・・・光源装置
４・・・ビデオプロセッサ
５・・・モニタ
６・・・入力装置
３１・・・ランプ
３２・・・絞り装置
３３・・・調光部
３４・・・集光レンズ
３５・・・電源部
３６ａ，３６ｂ・・・ファン
３７ａ，３７ｂ，３７ｃ・・・集音部
３８，３８Ａ，３８Ｂ・・・ファン制御部
３９・・・スピーカー
４０・・・動作監視部
【図１】
2009189429.tif 000003
【図２】
2009189429.tif 000004
【図３】
2009189429.tif 000005
【図４】
2009189429.tif 000006
【図５】
2009189429.tif 000007
【図６】
2009189429.tif 000008
【図７】
2009189429.tif 000009
【図８】
2009189429.tif 000010